(57)【要約】【課題】冊子の包装作業が極めて簡単で、開封後の冊子に糊材が付着しにくく、包装材料のリサイクルが容易な荷送用簡易包装キットを提供する。【解決手段】荷送用簡易包装キット１０は、受取人、差出人等の情報を記載するための宛名ラベル１２が台紙上に剥離可能に貼られてなる宛名シート２と、冊子のページ片を綴じるための着脱自在なクリップ３とを備える。クリップ３には、背板１５の撓み力により冊子のページ片を束ねて挟む一対の挟持片１６，１６が設けられている。荷送用簡易包装キット１０の構成品として、複数のクリップ３を充填可能な収納機構と、クリップ３の挟持片１６を拡げた状態でクリップ３を前方に押し出す押出機構とを備えた打ち出し具４を加えてもよい。【選択図】図１
2005289422.tif 000002
【特許請求の範囲】
【請求項１】
書籍、カタログ、雑誌等の冊子を包装するための簡易包装キットであって、
受取人、差出人等の情報を記載するための宛名ラベルが台紙上に剥離可能に貼られてなる宛名シートと、
前記冊子のページ片を綴じるための着脱自在なクリップとを備え、
前記クリップは、
前記冊子の厚みと同程度の幅で前記冊子の背の長さ方向に延び、その板幅方向に撓む弾性材料からなる背板と、
前記背板の幅方向の両端に互いに向き合って立ち上げられ、前記背板の撓み力により前記冊子のページ片を束ねて挟む一対の挟持片とを備えることを特徴とする荷送用簡易包装キット。
【請求項２】
前記宛名シートおよび前記クリップに、前記クリップの打ち出し具を加えたものであって、
前記打ち出し具は、
複数の前記クリップを充填可能な収納機構と、
前記クリップの挟持片を拡げた状態で前記クリップを前方に押し出す押出機構とを備える、請求項１記載の荷送用簡易包装キット。
【請求項３】
前記クリップの構成部分うち、少なくとも前記挟持片の挟持面が紙材で形成される、請求項１または２記載の荷送用簡易包装キット。
【請求項４】
前記冊子の端部であって、前記クリップの留め部分に再剥離可能な弱粘着性の補助シールを貼り付ける、請求項２または３ま記載の荷送用簡易包装キット。
【発明の詳細な説明】
【技術分野】
【０００１】
本発明は、カタログ、雑誌、書籍等の冊子の送付に適した荷送用簡易包装キットに関するものである。
【背景技術】
【０００２】
従来より、カタログ、雑誌、書籍等の冊子を送付するための包装形態として、封入や梱包を行うことなく、冊子の表紙に直接宛名ラベルを貼り付ける簡易包装が知られている。このような包装形態では、冊子のページが開かないように、冊子の綴じ代（背）と反対側、すなわち見開き側の端（以下、見開き端という。）にテープを貼り、ページ片を袋綴じ状態にして受取人に送る。
包装作業は、例えば手作業で冊子にテープを貼るか、または、専用の包装装置に必要な冊数の冊子をセットし、これらの冊子に連続的にテープを貼り付けるようにしている。テープの貼り方は、例えば、冊子の見開き端に沿って真っ直ぐに、かつ、テープ幅の中央に見開き端が当たるように位置決めする。受取人は、冊子を受け取った後、テープを剥がすことで冊子の中身を見ることができる。
なお、この種の簡易包装に関する先行技術としては、特許文献１〜７等が開示されている。
【０００３】
【特許文献１】実用新案登録第３０３７９３３号公報
【特許文献２】特開平１０−３５１５２号公報
【特許文献３】特開平１０−３５１５３号公報
【特許文献４】特開平１０−３５１５４号公報
【特許文献５】特開２０００−２１９２８５号公報
【特許文献６】特開２００２−１０４３２０号公報
【特許文献７】特開２０００−１４２６３４号公報
【発明の開示】
【発明が解決しようとする課題】
【０００４】
しかしながら、このような従来の簡易包装では、前述したように、冊子の見開き端に見栄えよく正確にテープを貼ろうとすると、その作業負担が大きい。また、冊子からテープを剥がした後に、テープの糊材が冊子に付着してページめくりが行いにくくなることもある。さらに、剥がしたテープがゴミになりやすい。特に、大量の冊子を包装する場合には環境に与える負担が大きくなる。
【０００５】
本発明は、このような現状に鑑みなされたもので、冊子の包装作業が極めて簡単で、開封後の冊子に糊材が付着しにくく、しかも、包装材料のリサイクルが容易な荷送用簡易包装キットを提供することを目的としている。
【課題を解決するための手段】
【０００６】
［第１発明］
前記課題を解決するための本発明による荷送用簡易包装キットは、
書籍、カタログ、雑誌等の冊子を包装するための簡易包装キットであって、
受取人、差出人等の情報を記載するための宛名ラベルが台紙上に剥離可能に貼られてなる宛名シートと、
前記冊子のページ片を綴じるための着脱自在なクリップとを備え、
前記クリップは、
前記冊子の厚みと同程度の幅で前記冊子の背の長さ方向に延び、その板幅方向に撓む弾性材料からなる背板と、
前記背板の幅方向の両端に互いに向き合って立ち上げられ、前記背板の撓み力により前記冊子のページ片を束ねて挟む一対の挟持片とを備える構成とした。
【０００７】
本発明（第１発明）の荷送用簡易包装キットによれば、従来のテープに代えて、背板と挟持片とを備えたクリップで冊子のページ片を綴じるため、包装作業が簡単で作業負担が大幅に軽減される。具体的には、クリップの挟持片を拡げて背板を撓ませ、これらの挟持片の間に冊子の端部を差し入れ、その後、挟持片を開く力を開放すると、背板の復元力で挟持片の間に冊子のページ片が挟まれることになる。
また、冊子にクリップ留めを行う場合には、冊子の見開き端に背板を突き合わせることで、クリップが冊子に対して真っ直ぐな姿勢を保ちやすく、見栄えを整えやすい。クリップの留め位置がズレているときは、何度でもクリップ留めをやり直すことができる。
【０００８】
また、クリップの挟持片で冊子を挟んでそのページ片を綴じるため、冊子に糊材が付着することがない。このため、冊子に付着した糊材でページめくりが行いにくくなるといった不都合もない。
さらに、本発明の荷送用簡易包装キットでは、包装用のクリップを適宜再利用することができる。例えば、冊子の受取人が開封後にクリップを書類留めとして使用してもよいし、送付業者が受取人からクリップをまとめて回収し、包装用クリップとして再利用してもよい。このようにクリップをリサイクル使用することで、包装材料としてのゴミがほとんど発生せず、環境資源を有効に用いることができる。
【０００９】
［第２発明］
本発明（第２発明）の荷送用簡易包装キットは、前記宛名シートおよび前記クリップに、前記クリップの打ち出し具を加えたものであって、
前記打ち出し具は、
複数の前記クリップを充填可能な収納機構と、
前記クリップの挟持片を拡げた状態で前記クリップを前方に押し出す押出機構とを備える構成とした。
【００１０】
このような構成によれば、打ち出し具にクリップを複数充填しておき、打ち出し具の前端を冊子の見開き端に位置合わせし、次いで、クリップを押し出せばクリップ留めが完了する。この結果、冊子のクリップ留め作業が極めて簡単になり、作業性が大幅に向上する。
なお、このようなクリップおよび打ち出し具は、既存のガチャ玉（登録商標）およびガチャック（登録商標）と同様な機能を有するもので代用することができる。クリップの大きさ、材質等は、冊子の厚みや大きさに応じて適宜設定するとよい。また、送付すべき冊子の数等を考慮して打ち出し具の最大充填数を予め調整しておくとよい。
【００１１】
［第３発明］
本発明（第３発明）の荷送用簡易包装キットは、前記クリップの構成部分うち、少なくとも前記挟持片の挟持面が紙材で形成される構成とした。
【００１２】
このような構成によれば、冊子の端部をクリップ留めする際にその挟持片で紙面を強く挟んでも、紙面に疵が付きにくい。この結果、冊子をより良好な状態で受取人の元へ届けることができる。
なお、紙材の挟持面をもつクリップの構成は、例えば金属製のクリップの挟持面に紙製のシールを貼り付けるか、または、クリップ全体を紙材で形成することにより実現することができる。
【００１３】
［第４発明］
本発明（第４発明）の荷送用簡易包装キットは、冊子の端部であって、前記クリップの留め部分に再剥離可能な弱粘着性の補助シールを貼り付ける構成とした。
【００１４】
このような構成によれば、冊子の端部に補助シールを貼り付けた上からクリップを留めることになるため、クリップの挟持片が冊子の紙面に直接接触しない。この結果、冊子の表紙等に疵が付きにくくなり、より良好な状態で冊子を受取人に届けることができる。
なお、第４発明において、再剥離可能な弱粘着性の補助シールとは、既存の付箋等に用いられる弱接着性の接着面をもつシールを意味する。このように弱粘着性の糊面を採用することにより、冊子の紙面から補助シールが密着し、かつ、開封後に糊面が冊子にほとんど付着することがない。
【００１５】
本発明（第１〜４発明）の荷送用簡易包装キットは、書籍、カタログ、雑誌、パンフレットの他、ポスター、チラシなどの書類の束やＣＤ、ＤＶＤ等のディスクを送るのに用いることも可能である。業務用の他、家庭用として使用してもよいことはもちろんである。
配送形態は特に限定されず、郵便であっても宅配業者によるものであってもよい。宅配業者による場合、書籍、カタログ、雑誌等の冊子（第三種郵便物）をメール便として受取人の郵便受箱に投函することもできる。
本発明（第１〜４発明）は、必要に応じて単独で適用してもよいし、これらの発明を組み合わせて適用してもよい。また、本明細書に記載される他の発明を組み合わせてもよい。
【発明を実施するための最良の形態】
【００１６】
以下、本発明の実施の形態を図面に基づいて説明する。
図１に本実施形態の荷送用簡易包装キットの構成品を示した。荷送用簡易包装キット１は、基本的な構成品として宛名シート２、クリップ玉３、打ち出し具４および専用ＣＤ−ＲＯＭ５を備えている。これらの構成品が同一梱包されて製品として販売等されるものである。なお、打ち出し具４および専用ＣＤ−ＲＯＭ５については、必要に応じて、本キットの構成品から外すこともできる。
【００１７】
図２に示すように、宛名シート２は、台紙１０に所定数の宛名ラベル１２が貼り合わされてなる。図２の例では、左右に４枚ずつ、合計８枚の宛名ラベル１２が縦に連なって設けられている。宛名ラベル１２を使用するときにはシート台紙１０から宛名ラベル１２を一枚ずつ剥がすことになる。
【００１８】
宛名ラベル１２には、受取人の住所や氏名等の情報を記載するための受取人情報記載欄１２Ａと、差出人の氏名、住所等を表示する差出人情報記載欄１２Ｂとが設けられている。差出人情報記載欄１２Ｂの左側には、送付物の種類やその他の情報を必要に応じて表示可能な備考情報記載欄１２Ｃが設けられている。差出人は、これらの各表示欄に必要な情報を適宜記載する。
【００１９】
図３に示すように、宛名ラベル１２の糊面１４は、再剥離可能な弱粘着性の糊材（ベタツキ感（タック感）の強い樹脂、例えば天然ゴム（ＮＲ）、エステル化天然ゴム、スチレン・ブタジエンゴム（ＳＢＲ）、クロロプレンゴム、ポリ酢酸ビニル、ポリメチルメタクリレート（ＰＭＭＡ）等が挙げられる。）からなっている。例えば台紙１０から剥がした宛名ラベル１２を再度台紙１０の上に貼り戻すこともできるし、また、送付するための冊子の表紙に貼り付けたラベル１３を剥がして張り直すことも可能である。剥がした後には、糊材はほとんど紙面に残ることはない。
【００２０】
クリップ玉３は、荷送用簡易包装キット１に複数含まれており、送付対象となる冊子の大きさや形状等に応じて必要な個数だけ使用される。クリップ玉３の材質は、紙材を樹脂等で固めたものであり、適度な弾性を有している。
【００２１】
図４に示すように、クリップ玉３の形状は、その背板１５の両端に互いに向き合うように挟持片１６，１６が形成される。背板１５は、冊子Ｓ（図４参照）の厚みとほぼ同程度の板幅で冊子Ｓの背の長さ方向に帯状に延びる格好をしており、その板幅方向に撓む。挟持片１６，１６は、背板１５の幅方向の両端から内向き（幅方向中央向き）に延びており、その先端部が接触し合う（図１参照）。挟持片１６，１６を外向きに拡げると、背板１５の撓み力で挟持片１６，１６に内向きの力が生じ、冊子Ｓを挟むことが可能になる。
【００２２】
挟持片１６，１６の先端には、返し部１６ａが形成されている。この返し部１６ａは、挟持片１６，１６の間に冊子Ｓの端部を差し入れるときに、挟持片１６，１６の先端で冊子Ｓの紙面を傷付けないようにするためのものである。
【００２３】
打ち出し具４は、複数のクリップ玉３を予め内部に充填しておき、必要に応じてクリップ玉３を押し出す機構を備えている。図１に示すように、打ち出し具４の後端側に蓋４ａがあり、この蓋４ａを開けてクリップ玉３が充填される。充填されたクリップ玉３は、摘み４ｂを図１で下方にスライドさせると、挟持片１６，１６が外向きに拡げられた状態で一個ずつ、先端４ｃ側に押し出される。図４に示すように、打ち出し具４の先端４ｃを冊子Ｓの見開き端に当てた状態で、クリップ玉３を摘み４ｂで押し出せば、挟持片１６，１６の間に冊子Ｓのページ片が挟まれる。
【００２４】
専用ＣＤ−ＲＯＭ５には、宛名シート２に受取人や差出人の情報を印字するためのアプリケーションソフトが格納されている。このアプリケーションソフトをパソコンにインストールして立ち上げると、受取人、差出人等の情報入力画面が立ち上がる。この入力画面に必要な情報を入力し、プリンタで印字すると、宛名ラベル１２の受取人情報記載欄１２Ａ、差出人情報記載欄１２Ｂおよび備考情報記載欄１２Ｃの各欄に必要な情報が正確に位置決めされて印字される。このように専用ＣＤ−ＲＯＭ５を使用することで、差出人の宛名ラベルの記載作業が軽減されることになる。
【００２５】
次に、荷送用簡易包装キット１の作用・効果について説明する。
書籍、カタログ、雑誌等の冊子を送付する場合、図５に示すように、冊子Ｓの見開き端に適当な間隔を保って２個のクリップ玉３を打ち出し、冊子Ｓのページ片を束ねて綴じる。なお、図５の例では、見開き端に２個のクリップ玉３を留めているが、これらを３個以上にしてもよいし、また、冊子Ｓの上端または下端にもクリップ玉３を留めるようにしてもよい。
次いで、受取人情報、差出人情報等を記載した宛名ラベルを、冊子の表紙の適当な位置に貼り付け、荷送用の包装形態とする。このように包装した冊子を郵便や宅配で受取人の元へ送付する。
【００２６】
冊子を受け取った受取人は、クリップ玉３を背板１５側に引っ張れば、冊子Ｓから簡単にクリップ玉３を外すことができる。また、冊子の表紙から宛名ラベル１２を簡単に手で引き剥がすことができる。
【００２７】
このように荷送用簡易包装キット１を用いれば、クリップ玉３と打ち出し具４により簡単な操作で確実に冊子Ｓのページ片を綴じることができる。冊子Ｓの見開き端にクリップ玉３の背板１５を当てればクリップ玉３の姿勢が自然に真っ直ぐになるため、クリップ玉３が傾いた状態で留められることがなく、見栄えも良好になる。また、クリップ玉３の留め位置を変更したいときには、何度でもクリップ留めをやり直すことができ、クリップ玉３が無駄に消耗されることはない。
【００２８】
また、冊子Ｓの紙面には、従来のテープ貼りのように比較的強力な糊面を接触させないため、開封後に、冊子Ｓの見開き端付近に糊材が付着したまま残ることはない。この結果、開封後の冊子のページを一枚ずつめくる操作も快適に行える。
【００２９】
また、本実施形態では、クリップ玉３に紙材を使用しているため、図１に示す挟持片１６の挟持面１６ｂが冊子Ｓの紙面をほとんど傷付けることはない。このため、冊子Ｓを良好な形態で受取人に届けることができる。
【００３０】
さらに、冊子Ｓの送付後にクリップ玉３を外しても、クリップ玉３は原形のままで再利用することができる。例えばクリップ玉３を市販のクリップ玉と同一の規格で設計しておけば、市販の打ち出し具でクリップ玉３を書類留め用クリップとして繰り返し用いることができる。また、送り主の業者が大量の冊子Ｓを送付する場合などには、送り主からクリップ玉３を独自に回収し、再利用するようにすれば、資源の節約に繋がる。
【００３１】
以上、本発明の実施形態を説明したが、本発明の実施形態はこれに限られることなく、種々の変形を伴ってもよい。
［変形例１］
図６および図７に示すように、クリップ玉３の留め部分に補助シール２０を当てるようにしてもよい。補助シール２０は、例えば、クリップ玉３より大きいサイズの紙製シールに、再剥離可能な弱粘着性の糊面が設けられる。弱粘着性の糊材としては、宛名ラベル２と同様な材料を用いることができる。
冊子Ｓの見開き端にクリップ玉３を打ち出す場合、図６に示すように、冊子Ｓの表裏に折り返すように予め補助シール２０を貼り付けておき、この補助シール２０の上に挟持片１６を当てるようにする（図７参照）。
このように補助シール２０を使うことで、冊子Ｓの紙面が挟持片１６で擦れても疵が付きにくくなり、冊子Ｓをさらに良好な状態で受取人の元へ届けることができる。
【００３２】
［変形例２］
図８に示すように、長尺状のクリップ玉３０を使用してもよい。クリップ玉３０は、冊子Ｓの背の長さより短い長さの範囲で長尺状に形成される。クリップ玉３０を打ち出すための打ち出し具には、クリップ玉３０を収納する専用の収納機構および押出し機構が設けられる。
このように長尺状のクリップ玉３０を用いれば、一回の打ち出し操作で冊子Ｓの見開き端を綴じることができ、包装の作業工程がさらに簡略化される。また、冊子Ｓの端部が長尺状のクリップ玉３０の背板によって覆われるため、冊子Ｓの変形や汚れの付着等の防止にも役立つ。
【００３３】
その他、前記実施形態では、クリップ玉３を紙材で一体形成したが、クリップ玉を金属で形成し、その挟持片の挟持面に紙製のシールを貼り付ける構成としてもよい。また、クリップ玉３の挟持片１６，１６の外側面（挟持面と反対側の面）には、送り主の宣伝広告等の表示を印刷等で入れることも可能である。また、クリップ玉３のリサイクルを促すために、送り主が受取人からクリップ玉を回収したときに、特典を付けてもよい。例えば、クリップ玉３の返却個数に応じて懸賞品を配布する等のビジネスモデルが考えられる。
【図面の簡単な説明】
【００３４】
【図１】本発明の実施形態による荷送用簡易包装キットの構成品を説明するための概略構成図である。
【図２】同荷送用簡易包装キットの宛名シートの構成例を示す平面図である。
【図３】同荷送用簡易包装キットの宛名シートの断面を示す部分拡大断面図である。
【図４】同荷送用簡易包装キットのクリップ玉の取付方法を説明するための作用説明図である。
【図５】同荷送用簡易包装キットの使用状態を示す斜視図である。
【図６】本発明の他の実施形態（変形例１）によるクリップ玉の取付方法を説明するための作用説明図である。
【図７】本発明の他の実施形態（変形例１）による荷送用簡易包装キットの使用状態を示す斜視図である。
【図８】本発明の他の実施形態（変形例２）による荷送用簡易包装キットの使用状態を示す斜視図である。
【符号の説明】
【００３５】
１    荷送用簡易包装キット
２    宛名シート
３    クリップ玉（クリップ）
４    打ち出し具
５    専用ＣＤ−ＲＯＭ
１０    台紙
１２    宛名ラベル
１５    背板
１６    挟持片
１６ａ  返し部
１６ｂ  挟持面
Ｓ    冊子
【図１】
2005289422.tif 000003
【図２】
2005289422.tif 000004
【図３】
2005289422.tif 000005
【図４】
2005289422.tif 000006
【図５】
2005289422.tif 000007
【図６】
2005289422.tif 000008
【図７】
2005289422.tif 000009
【図８】
2005289422.tif 000010